(57)【要約】      （修正有）【課題】衛生用紙収納箱から、簡便にプラスチックフィルムを分離可能であるとともに、頂面部表面の美観に優れる衛生用紙収納箱を提供することを目的とする。【解決手段】取り出し口３が形成されるとともに、衛生紙を取り出すためのスリット１０が設けられたシート９が、取り出し口３を覆うように張着されており、取り出し口３は、スリット１０を囲繞する第１のミシン目２で、頂面部を破断することにより形成されるものであり、シート９は、不連続に塗布された接着剤１１により、頂面部の裏面に接着されるとともに、長手方向一方端部において、頂面部の裏面に剥離不能に接着され、長手方向一方端部におけるシート９の接着部位を囲うように、第２のミシン目４が形成されており、この第２のミシン目４を破断して、破断された頂面部５の一部を引き上げることにより、破断された頂面部５の一部と、シート９とが、一体となって取り除かれる。【選択図】図１
2018122891.tif 000002
【特許請求の範囲】
【請求項１】
連続して取り出せるように折り畳んで積層された衛生用紙の積層体を収納する紙製の衛生用紙収納箱であって、
衛生用紙収納箱の頂面部には取り出し口が形成されるとともに、
頂面部の裏面には、衛生紙を取り出すためのスリットが設けられたシートが、取り出し口を覆うように張着されており、
取り出し口は、前記スリットを囲繞して、頂面部に形成された第１のミシン目で、頂面部を破断することにより形成されるものであり、
前記シートは、その短手方向両端部に沿って、不連続に塗布された接着剤により、頂面部の裏面に接着されるとともに、長手方向一方端部において、頂面部の裏面に剥離不能に接着され、
前記長手方向一方端部におけるシートの接着部位を囲うように、第２のミシン目が形成されており、この第２のミシン目を破断して、破断された頂面部の一部を引き上げることにより、破断された頂面部の一部と、前記シートとが、一体となって取り除かれる、衛生用紙収納箱。
【請求項２】
前記シートの短手方向両端部に塗布された接着剤が、長手方向に延びる、２ｍｍ以上１５ｍｍ以下の非接着部を介在させて形成されている、請求項１に記載の衛生用紙収納箱。
【請求項３】
不連続の複数の非接着部の長手方向における総全長が、取り出し口の長手方向の全長の１０％以上８０％以下である、請求項２に記載の衛生用紙収納箱。
【請求項４】
前記シートの短手方向両端部に塗布された接着剤の、塗布部の長手方向の寸法が２ｍｍ以上２０ｍｍ以下であり、塗布部の形状が、直線状、円形、楕円形、長方形、又は三角形である、請求項１から３のいずれかに記載の衛生用紙収納箱。
【請求項５】
前記シートが、プラスチックフィルム、セロファン、又はグラシン紙から構成される、請求項１から４のいずれかに記載の衛生用紙収納箱。
【請求項６】
前記シートの厚さが１６μｍ以上２４μｍ以下である、請求項１から５のいずれかに記載の衛生用紙収納箱。
【発明の詳細な説明】
【技術分野】
【０００１】
本発明は、ティッシュペーパー等の衛生用紙の収納箱に関し、特に使用後に、取り出し口に貼ったプラスチックフィルムを剥がすことにより、容易に分離して廃棄することができるように構成した衛生用紙収納箱に関するものである。
【背景技術】
【０００２】
ティッシュペーパー等の衛生用紙の収納箱は、通常、直方体の収納箱の頂面部に取り出し口を形成するとともに、頂面部の裏面に、取り出し口を覆うように、ポリエチレンフィルム等のプラスチックフィルムが張着されている。近年、ごみ減量の取組みや容器包装リサイクルの高まりから、ティッシュペーパー等の衛生用紙の収納箱のような家庭ごみも、紙と包装プラスチックフィルム類との分別処理が必要となっている。このため、衛生用紙収納箱の取り出し口に貼ったプラスチックフィルムについては、衛生用紙の使用後に剥離して、紙とプラスチックフィルムに分離して廃棄する等、材質の異なる素材の分別廃棄が消費者サイドでも求められるようになっている。
【０００３】
しかしながら、従来の衛生用紙収納箱を、紙ごみとして廃棄したり、これを再生利用したりするためには収納箱の短側面の接着部を剥がした後、筒状となった箱内に手を入れてプラスチックフィルムを剥がさなければならなかった。しかしながら、筒状の収納箱は手が入りにくい上に、箱内側に貼ったプラスチックフィルムを剥離する作業は煩わしい。そのために、これまで、プラスチックフィルムを剥離せずに、衛生用紙収納箱を廃棄することが多いのが現状であった。
【０００４】
プラスチックフィルムを衛生用紙収納箱から容易に剥離可能とする発明としては、例えば、特許文献１に、短辺に沿って配される部分の短側面側中央に凹部を有し、長手方向に延在する裂開用ミシン目の長辺に沿って接着糊が配される部分が、連続線上に所定間隔で線幅より幅広のドット部を有する糊付けパターンとし、紙箱からプラスチックフィルムの分離性と引き剥がしの操作性に優れる衛生用紙収納箱が提案されている。また、特許文献２には、紙とプラスチックフィルムを容易に分離して廃棄することができるように、衛生用紙収納箱の取り出し口に形成するために設けられたミシン目の周囲に、更にミシン目を形成して、フィルムが接着されている部位の厚紙を容易に剥がせるようにした衛生用紙収納箱が提案されている。
【先行技術文献】
【特許文献】
【０００５】
【特許文献１】特開２０１３−１８９２１０号公報
【特許文献２】特開２００５−３１３９０９号公報
【発明の概要】
【発明が解決しようとする課題】
【０００６】
しかしながら、特許文献１に記載された衛生用紙収納箱の場合、収納箱を解体し、裏面からプラスチックフィルムを剥離する必要があるため、収納箱の解体と、紙及びプラスチックフィルムの分別作業を別に行わなければならず、手間がかかって面倒であるという問題があった。また、特許文献２に記載された衛生用紙収納箱においては、取り出し口を形成するために設けられたミシン目の周囲に、更にミシン目を形成しているので、衛生用紙収納箱の頂面部表面の美観を損なうと共に、取り出し口を形成する際に、誤って分離用ミシン目を破断してしまう可能性がある。したがって、本発明は、以上の課題に鑑みてなされたものであり、衛生用紙収納箱から、簡便にプラスチックフィルムを分離可能であるとともに、頂面部表面の美観に優れる衛生用紙収納箱を提供することを目的とする。
【課題を解決するための手段】
【０００７】
本発明の発明者らは、上記課題を解決するため、鋭意研究を行った。その結果、プラスチックフィルムに対応するシートを、短手方向両端部に沿って、不連続に塗布された接着剤により頂面部の裏面に接着するとともに、長手方向一方端部において、頂面部の裏面に剥離不能に接着し、この長手方向一方端部における接着部位を囲うように、頂面部にミシン目を形成した衛生用紙収納箱によれば、上記の課題を解決できることを見出し、本発明を完成するに至った。具体的には、本発明は、以下のものを提供する。
【０００８】
（１）本発明の第１の態様は、連続して取り出せるように折り畳んで積層された衛生用紙の積層体を収納する紙製の衛生用紙収納箱であって、衛生用紙収納箱の頂面部には取り出し口が形成されるとともに、頂面部の裏面には、衛生紙を取り出すためのスリットが設けられたシートが、取り出し口を覆うように張着されており、取り出し口は、前記スリットを囲繞して、頂面部に形成された第１のミシン目で、頂面部を破断することにより形成されるものであり、前記シートは、その短手方向両端部に沿って、不連続に塗布された接着剤により、頂面部の裏面に接着されるとともに、長手方向一方端部において、頂面部の裏面に剥離不能に接着され、前記長手方向一方端部におけるシートの接着部位を囲うように、第２のミシン目が形成されており、この第２のミシン目を破断して、破断された頂面部の一部を引き上げることにより、破断された頂面部の一部と、前記シートとが、一体となって取り除かれる、衛生用紙収納箱である。
【０００９】
（２）本発明の第２の態様は、（１）に記載の衛生用紙収納箱であって、前記シートの短手方向両端部に塗布された接着剤が、長手方向に延びる、２ｍｍ以上１５ｍｍ以下の非接着部を介在させて形成されていることを特徴とするものである。
【００１０】
（３）本発明の第３の態様は、（２）に記載の衛生用紙収納箱であって、不連続の複数の非接着部の長手方向における総全長が、取り出し口の長手方向の全長の１０％以上８０％以下であることを特徴とするものである。
【００１１】
（４）本発明の第４の態様は、（１）から（３）のいずれかに記載の衛生用紙収納箱であって、前記シートの短手方向両端部に塗布された接着剤の、塗布部の長手方向の寸法が２ｍｍ以上２０ｍｍ以下であり、塗布部の形状が、直線状、円形、楕円形、長方形、又は三角形であることを特徴とするものである。
【００１２】
（５）本発明の第５の態様は、（１）から（４）のいずれかに記載の衛生用紙収納箱であって、前記シートが、プラスチックフィルム、セロファン、又はグラシン紙から構成されることを特徴とするものである。
【００１３】
（６）本発明の第６の態様は、（１）から（５）のいずれかに記載の衛生用紙収納箱であって、前記シートの厚さが１６μｍ以上２４μｍ以下であることを特徴とするものである。
【発明の効果】
【００１４】
本発明の衛生用紙収納箱は、スリットが形成されたシートを、短手方向両端部に沿って、不連続に塗布された接着剤により頂面部の裏面に接着するとともに、長手方向一方端部において、頂面部の裏面に剥離不能に接着し、この長手方向一方端部における接着部位を囲うように、頂面部に第２のミシン目を形成したものである。このため、取り出し口の短手方向両端部における、シートと頂面部の裏面との非接着部に指を入れ、指を長手方向に水平に移動させることにより、接着剤の塗布部において、シートを頂面部の裏面から剥離させることができ、取り出し口側から、第２のミシン目に挟まれた、取り出し口の縁部に指を掛け、この縁部とシートとを挟持するとともに、上方に引き上げることにより、頂面部のうち、第２のミシン目に囲まれた領域と、シートとをともに、衛生用紙収納箱から除去することができる。これにより、簡便にシートを剥離できるとともに、衛生用紙収納箱の美観を損ねることもない。
【図面の簡単な説明】
【００１５】
【図１】本発明の衛生用紙収納箱の斜視図である。
【図２】本発明の衛生用紙収納箱の展開図である。
【発明を実施するための形態】
【００１６】
以下、本発明の衛生用紙収納箱１について、図面を参照して詳細に説明する。なお、本明細書において、衛生用紙収納箱１の長手方向とは、衛生用紙収納箱１の頂面部５（取り出し口３が形成される面）において、最も長尺の辺が延在する方向であり、短手方向とは、衛生用紙収納箱１の頂面部５において、最も短尺の辺が延在する方向である。すなわち、衛生用紙収納箱１の頂面部５及びこれに平行な底面部６は、長手方向の長辺、短手方向の短辺を有する長方形の形状を有する。また、本発明において、衛生用紙収納箱１の高さ方向とは、頂面部５及び底面部６に垂直な方向である。
【００１７】
＜衛生用紙収納箱＞
図１に示すように、衛生用紙収納箱１は、連続して取り出せるように折り畳んで積層された衛生用紙の積層体を収納する紙製の直方体の函体である。衛生用紙収納箱１の高さＨは、内部に収容される衛生紙の積層方向に沿う寸法であり、直方体の最も長い辺を構成する長辺をＬとし、Ｈ及びＬにともに垂直な辺を短辺Ｗとする。衛生紙としては、ティッシュペーパー、ハンドタオル等が例示されるが、個々の衛生紙は、例えばポップアップ方式で取り出せるように、Ｚ折りやＶ折り等されて上下の衛生紙を挟持しつつ積層されている。衛生用紙収納箱１は板紙等の厚紙から形成すればよい。
【００１８】
図２は、本発明の衛生用紙収納箱１の展開図である。衛生用紙収納箱１は、幅の広い長方形をした、長辺Ｌ及び短辺Ｗに囲まれる頂面部５及び底面部６、幅の狭い長方形をした、長辺Ｌ及び高さＨに囲まれ、左右の側壁を形成する一対の側面部（一方の側面部７、他方の側面部８）を有する厚紙を起函して直方体に組み立てて形成されるものである。ここで、例えば、頂面部５と左右の側面部（一方の側面部７、他方の側面部８）、底面部６と一方の側面部７は、衛生用紙収納箱１の屈折部を構成する罫線を介して交互に隣接している。また、底面部６には、長辺側フラップ１３が形成されており、この部位に接着剤を塗布することにより、底面部６の長辺側フラップ１３と他方の側面部８が連結して、組み立てられる前の衛生用紙収納箱１を構成する厚紙が、筒体を形成するようになっている。頂面部５及び底面部６の両端縁には、短辺側フラップ１４が形成されており、一方の側面部７及び他方の側面部８の両端縁には、高さ側フラップ１５が形成されている。頂面部５には、後述するシート９に形成されたスリット１０を囲繞して、取り出し口３を形成するための第１のミシン目２が設けられており、この第１のミシン目２で、頂面部５を破断することにより、取り出し口３が形成される。
【００１９】
衛生用紙収納箱１が箱入り衛生紙の製造ラインに供給される前の段階においては、衛生用紙収納箱１を構成する厚紙は、例えば、頂面部５と他方の側面部８との間の罫線、一方の側面部７と底面部６との間の罫線が屈折され、二つ折りにされた状態で、長辺側フラップ１３に糊付けされて、長辺側フラップ１３と他方の側面部８が連結した状態で保管される。
【００２０】
衛生用紙収納箱１が衛生用紙収納箱の組み立て手段により起函されると、衛生用紙収納箱１は四角柱状の筒体となり、この筒体の中に衛生紙の積層体が挿入される。衛生紙の積層体が挿入された後、まず、高さ側フラップ１５を屈折させるとともに、高さ側フラップ１５の外側面（衛生紙の積層体に接しない面）にホットメルトや糊等の接着剤を塗布し、短辺側フラップ１４を屈折させて、高さ側フラップ１５に重ね合わせ、開口を封緘する。
【００２１】
なお、本明細書においては、衛生紙の積層体を収容した状態の衛生用紙収納箱１と、衛生紙の積層体を収容する前の衛生用紙収納箱１とを特に区別せずに記載する。衛生紙の積層体を収容していない状態の衛生用紙収納箱１は、長辺側フラップ１３を他方の側面部８に接着等し、短辺側フラップ１４や高さ側フラップ１５を屈折させず、頂面部５と底面部６が互いに接するように長手方向の罫線で厚紙を折り曲げ、二つ折りにした状態をいう。
【００２２】
［スリットが設けられたシート］
衛生用紙収納箱１が二つ折りにされる前の段階において、衛生用紙収納箱１の頂面部５の裏面には、衛生紙を取り出すためのスリット１０が設けられたシート９が、取り出し口３を覆うように張着され、これが、衛生用紙収納箱１を組み立てた後に、取り出し口を覆うシート９となる。このシート９は、ポリエチレンフィルム、ポリプロピレンフィルム、ポリエステルフィルム等のプラスチックフィルムや、セロファン、グラシン紙、薄葉紙、障子紙、半紙等により構成されていることが好ましく、プラスチックフィルムにより構成されていることがより好ましい。シート９の厚さは、１６μｍ以上２４μｍ以下であることが好ましく、１９μｍ以上２１μｍ以下であることがより好ましい。
【００２３】
上述のとおり、シート９には、スリット１０が設けられており、衛生用紙収納箱１を組み立て、衛生用紙を収納した後においては、このスリット１０から、衛生用紙を連続的に取り出すことができるようになる。スリット１０の長手方向の寸法は、１００ｍｍ以上１５０ｍｍ以下であることが好ましく、１１０ｍｍ以上１４０ｍｍ以下であることがより好ましい。また、衛生紙の一辺の寸法に対する、スリット１０の長手方向の寸法の比率は、４０％以上７０％以下であることが好ましく、４５％以上６５％以下であることがより好ましい。
【００２４】
シート９を頂面部５の裏面に貼り付ける際には、シート９には、その短手方向両端部に沿って、断続的かつ不連続に接着剤１１が塗布されることが好ましい。接着剤１１を塗布する際の塗布パターンは、規則的な塗布パターンであってもよいし、不規則的な塗布パターンであってもよいが、短手方向両端部において、シート９を衛生用紙収納箱１から剥離しやすくするという観点からは、接着剤１１が規則的に間隔をあけて塗布されていることが好ましい。より具体的には、シート９の短手方向両端部においては、接着剤１１が、長手方向に延びる、好ましくは、２ｍｍ以上１５ｍｍ以下、より好ましくは、５ｍｍ以上１５ｍｍ以下の非接着部１２を介在させて、塗布されている態様を挙げることができる。このように、非接着部１２を介在させることにより、シート９の短手方向両端部における、頂面部５の裏面への接着力を抑制することができ、シート９を衛生用紙収納箱１から剥離する際に、容易に剥離することができる。なお、不連続の複数の非接着部１２の長手方向における総全長は、取り出し口３の長手方向の全長の１０％以上８０％以下であることが好ましく、１２％以上７５％以下であることがより好ましい。
【００２５】
シート９の短手方向両端部に塗布された接着剤１１の塗布部の寸法及び塗布パターンについては、塗布部の長手方向の寸法が２ｍｍ以上２０ｍｍ以下となることが好ましく、３ｍｍ以上１５ｍｍ以下であることがより好ましい。また、塗布パターンについては、直線状、円形、楕円形、長方形、又は三角形であることが好ましい。塗布パターンを直線状以外のパターンとすることにより、接着剤の塗布面積を減らせることがあり、短手方向両端部におけるシート９の接着強度をより低下させることができ、シート９を衛生用紙収納箱１から剥離しやすくすることができる。
【００２６】
［第２のミシン目等］
本発明の衛生用紙収納箱１においては、長手方向一方端部において、シート９が、頂面部５の裏面に剥離不能に接着され、この長手方向一方端部におけるシート９の接着部位を囲うように、第２のミシン目４が形成されていることが好ましい。そして、この第２のミシン目４を破断して、破断された頂面部５の一部を、シート９とともに引き上げることにより、破断された頂面部５の一部と、シート９とが一体となって除去される。
【００２７】
ここで、第２のミシン目４は、第１のミシン目２と連結していることにより、第２のミシン目４を破断することにより、除去される頂面部５の一部が、取り出し口３と接していることが好ましい。このような構成とすることにより、取り出し口３の縁部のうち、第２のミシン目４に挟まれた部位に指を掛け、この縁部を引き上げることにより、第２のミシン目４により囲まれた部位を容易に除去することができる。
【００２８】
第２のミシン目４に囲まれた部位の平面形状は、正方形、長方形、半円形、取り出し口３側を底とする三角形等であってもよいが、第２のミシン目をより破断しやすいものとする観点からは、半円形又は三角形であることが好ましい。また、第２のミシン目に囲まれた部位の寸法は、長手方向の寸法が、５ｍｍ以上２０ｍｍ以下であることが好ましく、短手方向の寸法が、１５ｍｍ以上３０ｍｍ以下であることが好ましい。
【００２９】
＜衛生用紙収納箱からのシートの剥離方法＞
本発明の衛生用紙収納箱１から、シート９を剥離するにあたっては、取り出し口３の短手方向両端部における、シート９と頂面部５の裏面との非接着部１２に指を入れ、指を長手方向に水平に移動させることにより、接着剤１１の塗布部において、シート９を頂面部５の裏面から剥離させる。そして、取り出し口３側から、第２のミシン目４に挟まれた、取り出し口３の縁部に指を掛け、この縁部とシート９とを挟持するとともに、上方に引き上げることにより、頂面部５のうち、第２のミシン目４に囲まれた領域と、シート９とをともに、衛生用紙収納箱１から除去する。これにより、簡便にシート９を剥離できるとともに、衛生用紙収納箱１の美観を損ねることもない。
【符号の説明】
【００３０】
１      衛生用紙収納箱
２      第１のミシン目
３      取り出し口
４      第２のミシン目
５      頂面部
６      底面部
７      一方の側面部
８      他方の側面部
９      シート
１０    スリット
１１    接着剤
１２    非接着部
１３    長辺側フラップ
１４    短辺側フラップ
１５    高さ側フラップ
【図１】
2018122891.tif 000003
【図２】
2018122891.tif 000004